(57)【要約】【課題】照明装置へのスペーサの設置作業を簡単に行うことができるＬＥＤバルブ用のスペーサの着脱工具、及び該着脱工具を用いたＬＥＤバルブ用のスペーサの設置方法を提供することを課題とする。【解決手段】ＬＥＤバルブ４を抜差可能な筒状のスペーサ５を照明装置６の設置箇所に設置するための着脱工具１であって、作業者が手に持つ持ち手部２と、該持ち手部２に設けられ且つ前記スペーサ５を着脱可能な着脱部と、を備え、該着脱部は、該持ち手部２から前方に延出し、且つ前記スペーサ５内に抜差可能な抜差部と、該抜差部が挿し込まれている前記スペーサ５に設けられている被係合部に係合することによって、該抜差部に対して前記スペーサ５を抜止可能な抜止構造、とを有するＬＥＤバルブ用のスペーサの着脱工具。【選択図】図１０
2019155483.tif 000002
【特許請求の範囲】
【請求項１】
ＬＥＤバルブを抜差可能な筒状のスペーサを照明装置の設置箇所に設置するためのＬＥＤバルブ用のスペーサの着脱工具であって、
作業者が手に持つ持ち手部と、
該持ち手部に設けられ且つ前記スペーサを着脱可能な着脱部と、を備え、
該着脱部は、
該持ち手部から前方に延出し、且つ前記スペーサ内に抜差可能な抜差部と、
該抜差部が挿し込まれている前記スペーサに設けられている被係合部に係合することによって、該抜差部に対して前記スペーサを抜止可能な抜止構造、とを有する、
ＬＥＤバルブ用のスペーサの着脱工具。
【請求項２】
前記着脱部は、前記抜差部の基端側に設けられ且つ前記スペーサに前記抜差部を挿し込む挿込方向で前記スペーサに突き当たる突当部を有するように構成される、
請求項１に記載のＬＥＤバルブ用のスペーサの着脱工具。
【請求項３】
前記抜止構造は、前記抜差部の先端部側に形成され且つ前記スペーサから前記抜差部を引き抜く引抜方向で前記スペーサに設けられている被係合部に掛止可能な掛止部を有し、
該掛止部は、前記突当部をスペーサに突き当てた状態において、
前記スペーサに掛止した状態と、前記スペーサに対する掛止を解除した状態とに切替可能となるように構成される、
請求項２に記載のＬＥＤバルブ用のスペーサの着脱工具。
【請求項４】
請求項１乃至請求項３の何れか１項に記載のＬＥＤバルブ用のスペーサの着脱工具の持ち手部を持ち、
前記抜差部を前記スペーサに挿通し且つ前記抜止構造で前記スペーサを前記抜差部に対して抜け止めした状態にした後に、
前記スペーサを前記設置箇所にあてがった状態で該設置箇所に固定した後、前記抜け止めした状態を解除し、前記スペーサから前記抜差部を引き抜く、
ＬＥＤバルブ用のスペーサの設置方法。
【発明の詳細な説明】
【技術分野】
【０００１】
本発明は、照明装置へのＬＥＤバルブ用のスペーサの付け外し作業に用いるＬＥＤバルブ用のスペーサ着脱工具、及び該着脱工具を用いたＬＥＤバルブ用のスペーサの設置方法に関する。
【背景技術】
【０００２】
近年、自動車等に搭載されている照明装置（例えば、フォグランプや、ヘッドランプ等）には、白熱電球や、ハロゲンランプよりも寿命が長く、また、省電力であるＬＥＤバルブが組み込まれる傾向にある。
【０００３】
かかるＬＥＤバルブには、例えば、非特許文献１に開示されているような、ＬＥＤが取り付けられたバルブ本体と、照明装置のリフレクターに取り付けた状態でバルブ本体を着脱可能なスペーサ（口金）と、を備えたものが知られている。
【０００４】
口金は、筒状に形成されており、内部にバルブ本体を抜き差しできるように構成されている。また、かかる口金の形状は、ハロゲンバルブ等の別種のバルブが備える口金と同形状となっている。
【０００５】
上記構成のＬＥＤバルブを照明装置に取り付ける場合は、口金をリフレクターにあてがい、該口金の内部とリフレクターに形成されている貫通孔とを連通させる。そして、口金をリフレクターに固定すれば、該口金にバルブ本体を挿通することでＬＥＤバルブを照明装置に取り付けることができるようになる。
【先行技術文献】
【非特許文献】
【０００６】
【非特許文献１】ＩＰＦ株式会社，製品情報（LED HEAD LAMP BULB H4 6500K 341HLB），ＵＲＬ：https://www.ipf.co.jp/products/341hlb.html
【発明の概要】
【発明が解決しようとする課題】
【０００７】
ところで、上記従来のＬＥＤバルブを照明装置に取り付ける際、作業者は、口金を直接手で持った状態でＬＥＤバルブの設置箇所であるリフレクターの背後から設置作業を行っているが、リフレクターの背後側に作業者の手が入るだけの十分なスペースがない場合（例えば、リフレクターの周囲に構造物や照明装置以外の装置が配置されているような場合）は、口金を設置箇所に近づけ難く、また、既設の口金を設置箇所から取り外す際に口金を掴み難いため、口金の付け外し作業が困難であった。
【０００８】
そこで、本発明は、かかる実情に鑑み、照明装置へのＬＥＤバルブ用のスペーサの付け外し作業を簡単に行うことができるＬＥＤバルブ用のスペーサの着脱工具、及び該着脱工具を用いたＬＥＤバルブ用のスペーサの設置方法を提供することを課題とする。
【課題を解決するための手段】
【０００９】
本発明のＬＥＤバルブ用のスペーサの着脱工具は、
ＬＥＤバルブを抜差可能な筒状のスペーサを照明装置の設置箇所に設置するためのＬＥＤバルブ用のスペーサの着脱工具であって、
作業者が手に持つ持ち手部と、
該持ち手部に設けられ且つ前記スペーサを着脱可能な着脱部と、を備え、
該着脱部は、
該持ち手部から前方に延出し、且つ前記スペーサ内に抜差可能な抜差部と、
該抜差部が挿し込まれている前記スペーサに設けられている被係合部に係合することによって、該抜差部に対して前記スペーサを抜止可能な抜止構造、とを有する。
【００１０】
上記構成のＬＥＤバルブ用のスペーサの着脱工具によれば、スペーサに挿通する抜差部が持ち手部から前方に延出しているため、作業者が持ち手部を持って抜差部をスペーサに挿通し、さらに、抜止構造によって抜差部に対するスペーサの抜け止めを行うと、スペーサが作業者の手から離れた位置で保持される。従って、設置箇所の周囲のスペースが狭くても、スペーサを該設置箇所に簡単に近付けて配置することができる。
【００１１】
本発明のＬＥＤバルブ用のスペーサの着脱工具において、
前記着脱部は、前記抜差部の基端側に設けられ且つ前記スペーサに前記抜差部を挿し込む挿込方向で前記スペーサに突き当たる突当部を有するように構成されていてもよい。
【００１２】
かかる構成によれば、スペーサを照明装置の設置箇所に押し当てると、突当部がスペーサに突き当る。すなわち、突当部でスペーサを照明装置の設置箇所に向けて押すことができるため、スペーサを設置箇所に対して位置決めした状態を維持し易くなる。
【００１３】
この場合、
前記抜止構造は、前記抜差部の先端部側に形成され且つ前記スペーサから前記抜差部を引き抜く引抜方向で前記スペーサに設けられている被係合部に掛止可能な掛止部を有し、
該掛止部は、前記突当部をスペーサに突き当てた状態において、
前記スペーサに掛止した状態と、前記スペーサに対する掛止を解除した状態とに切替可能となるように構成されていてもよい。
【００１４】
かかる構成によれば、抜差部と該抜差部を挿通したスペーサとの前記挿込方向及び前記引抜方向での相対移動を規制することにより、抜差部に対するスペーサの装着位置を固定することができる。従って、スペーサを所望の場所に位置決めし易くなる。
【００１５】
本発明のＬＥＤバルブ用のスペーサの設置方法は、
上記何れかのＬＥＤバルブ用のスペーサの着脱工具の持ち手部を持ち、
前記抜差部を前記スペーサに挿通し且つ前記抜止構造で前記スペーサを前記抜差部に対して抜け止めした状態にした後に、
前記スペーサを前記設置箇所にあてがった状態で該設置箇所に固定した後、前記抜け止めした状態を解除し、前記スペーサから前記抜差部を引き抜く。
【００１６】
上記構成のＬＥＤバルブ用のスペーサの設置方法によれば、抜差部をスペーサに挿通し、さらに、抜止構造によって抜差部に対するスペーサの抜け止めを行った状態で持ち手部を持つことにより、スペーサを作業者の手から離れた位置に保持することができる。従って、設置箇所の周囲のスペースが狭くても、スペーサを該設置箇所に簡単に近付けて配置することができる。
【発明の効果】
【００１７】
以上のように、本発明のＬＥＤバルブ用のスペーサの着脱工具、及び該着脱工具を用いたＬＥＤバルブ用のスペーサの設置方法によれば、照明装置へのＬＥＤバルブ用のスペーサの付け外し作業を簡単に行うことができる、という優れた効果を奏し得る。
【図面の簡単な説明】
【００１８】
【図１】図１は、本発明の一実施形態に係るＬＥＤバルブ用のスペーサの着脱工具、及びスペーサの斜視図である。
【図２】図２は、同実施形態に係るＬＥＤバルブ用のスペーサの着脱工具の底面図である。
【図３】図３は、同実施形態に係るＬＥＤバルブ用のスペーサの正面図である。
【図４】図４は、同実施形態に係るＬＥＤバルブ用のスペーサの平面図である。
【図５】図５は、同実施形態に係るＬＥＤバルブ用のスペーサの底面図である。
【図６】図６は、図４のＶＩ−ＶＩ線における断面図である。
【図７】図７は、同実施形態に係るＬＥＤバルブ用のスペーサの着脱工具の使用状態の説明図であり、スペーサに着脱工具を挿し込んでいる状態の説明図である。
【図８】図８は、同実施形態に係るＬＥＤバルブ用のスペーサの着脱工具の使用状態の説明図であり、スペーサを着脱工具に掛止させる前の状態の説明図である。
【図９】図９は、同実施形態に係るＬＥＤバルブ用のスペーサの着脱工具の使用状態の説明図であり、スペーサを着脱工具に掛止させた後の状態の説明図である。
【図１０】図１０は、同実施形態に係るＬＥＤバルブ用のスペーサの着脱工具の使用状態の説明図であり、スペーサを照明装置に設置している状態の説明図である。
【図１１】図１１は、同実施形態に係るＬＥＤバルブ用のスペーサの着脱工具の使用状態の説明図であり、スペーサを照明装置に設置した後の状態の説明図である。
【図１２】図１２は、同実施形態に係るＬＥＤバルブの斜視図である。
【図１３】図１３は、同実施形態に係る照明装置の断面図である。
【発明を実施するための形態】
【００１９】
以下、本発明の一実施形態にかかるＬＥＤバルブ用のスペーサの着脱工具（以下、着脱工具と称する）について、添付図面を参照しつつ説明する。
【００２０】
本実施形態に係る着脱工具は、図１１に示すように、照明装置６へのＬＥＤバルブ用のスペーサ５（以下、スペーサと称する）の取り付け作業、及び照明装置６からのスペーサ５の取り外し作業を行う際に用いる工具である。なお、本実施形態では、照明装置６の一例として自動車（例えば、トラックや、乗用車等）のフォグランプを挙げて以下の説明を行うこととする。すなわち、本実施形態の着脱工具とは、自動車のフォグランプにスペーサ５を付け外しするための工具である。
【００２１】
着脱工具の説明に先立ち、ＬＥＤバルブ４、スペーサ５、照明装置６の構成について説明を行う。
【００２２】
本実施形態に係るＬＥＤバルブ４は、Ｈ３型である。また、ＬＥＤバルブ４は、図１２に示すように、ＬＥＤが設けられた灯体部４０と、該灯体部４０に設けられた放熱部４１と、を備えている。なお、図１２では、ＬＥＤを仮想線で示している。
【００２３】
灯体部４０は、細長くなっており、灯体部４０の長手方向における一端部に放熱部４１が連設されている。
【００２４】
スペーサ５は、図３に示すように、筒状であり且つ内部にＬＥＤバルブ４（灯体部４０）を抜差可能な筒状部５０と、該筒状部５０に挿通された着脱工具により抜け止めされる被抜止部５１（図５参照）と、該筒状部５０の軸線方向における一方の開口端の外周面から外方（筒状部５０の径方向における外方）に向けて延出する延出部５２と、を有する。
【００２５】
筒状部５０は、前記一方の開口端の端面が照明装置６の設置箇所（照明装置６の後述する取付台部）側に向けて配置される。
【００２６】
筒状部５０の内面には、図６に示すように、前記軸線方向に沿って真っ直ぐに延びるガイド溝５００が形成されている。また、筒状部５０の内面には、前記径方向において互いに対向する位置に対して２つのガイド溝５００が形成されており、この２つのガイド溝５００は、それぞれ溝幅が異なっている（図４参照）。
【００２７】
被抜止部５１は、図５に示すように、筒状部５０に挿し込まれた着脱工具を係合（本実施形態では掛止）させるための被係合部５１０を有する。本実施形態では、筒状部５０に対して２つの被係合部５１０が形成されている。
【００２８】
被係合部５１０は、筒状部５０の内面から前記径方向における外方側に広がる受面５１０ａと、該受面５１０ａから前記軸線方向に向けて突出する突出部５１０ｂと、を有する。
【００２９】
受面５１０ａは、筒状部５０の周方向に沿って延びている。
【００３０】
突出部５１０ｂは、受面５１０ａの長手方向における一端側に形成されている。また、各突出部５１０ｂは、それぞれ別々のガイド溝５００に隣接している。
【００３１】
なお、突出部５１０ｂを基準にすると、一対の受面５１０ａのうちの一方の受面５１０ａは、突出部５１０ｂから筒状部５０の内面の周方向における一方側に延びており、他方の受面５１０ａもまた、突出部５１０ｂから筒状部５０の内面の周方向における一方側に延びている。
【００３２】
延出部５２は、筒状部５０の前記一方の開口端の外周面全周から外方（筒状部５０の径方向における外方）に向かって延出している。すなわち、延出部５２は、鍔状に形成されている。また、延出部５２の一面は、照明装置６の設置箇所（照明装置の後述する取付台部）に当接させる当接面となっている。
【００３３】
さらに、延出部５２の外周縁部には、前記径方向における内方に向けて湾曲する一対の回止凹部５２０が形成されている。
【００３４】
フォグランプ６は、図１３に示すように、ＬＥＤバルブ４の光を反射させるリフレクター６０と、該リフレクター６０にスペーサ５を固定するための留め具６１と、を備えている。
【００３５】
また、リフレクター６０には、ＬＥＤバルブ４を挿通させるための貫通孔６００ａが形成された取付台部６００が含まれている。なお、取付台部６００の周囲には、リフレクター６０を車体のフレームに固定するための固定構造Ｓが配置されている。
【００３６】
留め具６１は、取付台部６００に対して回転可能に連結されている。また、留め具６１は、回転操作に伴い、取付台部６００にあてがわれている（配置されている）スペーサ５を押さえ込んだロック状態と、スペーサ５に対する押さえ込みを解除したロック解除状態とに切替可能である。
【００３７】
図１及び図２に示すように、着脱工具１は、作業者が手に持つ持ち手部２と、該持ち手部２に設けられ且つ前記スペーサ５を着脱可能な着脱部３と、を備えている。
【００３８】
なお、本実施形態に係る着脱工具１は、棒状であり、長手方向において持ち手部２と着脱部３とが並ぶように形成されている。
【００３９】
持ち手部２も、棒状（具体的には軸状）に形成されており、且つ長手方向における一端側に着脱部３が設けられている。
【００４０】
着脱部３は、持ち手部２から前方に延出し、且つスペーサ５内に抜差可能な抜差部３０と、抜差部３０が前記スペーサ５に挿し込まれている状態で、該抜差部３０に対して前記スペーサ５を抜止可能な抜止構造３１と、抜差部３０の基端側に設けられ且つ前記スペーサ５に対して前記抜差部３０を挿し込む挿込方向で前記スペーサ５（より具体的には、筒状部５０の軸線方向における他方の開口端）に突き当たる突当部３２と、を有する。
【００４１】
抜差部３０は、軸状であり、外径がスペーサ５の筒状部５０の内径よりも僅かに小さくなるように形成されている。また、抜差部３０の外径は、持ち手部２の外径よりも小さくなっている。
【００４２】
さらに、抜差部３０は、持ち手部２の前記一端側の端面から延出するように形成されており、該抜差部３０の軸線方向と持ち手部２の長手方向とが一致している。
【００４３】
抜止構造３１は、抜差部３０の先端部側に形成され且つスペーサ５から抜差部３０を引き抜く引抜方向で前記スペーサ５に掛止可能な掛止部３１０を有する。なお、本実施形態の抜差部３０は、一対の掛止部３１０で構成されている。
【００４４】
本実施形態では、一対の掛止部３１０のうちの一方の掛止部３１０を第一の掛止部３１１、一対の掛止部３１０のうちの他方の掛止部３１０を第二の掛止部３１２、と称して以下の説明を行うこととする。これに伴い、本実施形態では、第一の掛止部３１１を掛止する被掛止部５１０を第一の被掛止部５１０、第二の掛止部３１２を掛止する被掛止部５１０を第二の被掛止部５１０と称する。
【００４５】
第一の掛止部３１１、及び第二の掛止部３１２は、抜差部３０の先端部側から外方に向かって延出している。また、第一の掛止部３１１、及び第二の掛止部３１２は、抜差部３０の外面の周方向に沿って延びた形状になっているが、第一の掛止部３１１よりも第二の掛止部３１２の方が該周方向における寸法が長くなっている。
【００４６】
本実施形態に係る着脱部３では、上述のように、抜差部３０の外径が持ち手部２の外径よりも小さくなっている。そのため、着脱部３では、持ち手部２の先端側の端面の外周縁部が抜差部３０の基端の周囲に広がっており、この持ち手部２の先端側の端面の外周縁部により突当部３２が構成されている。
【００４７】
なお、本実施形態では、抜差部３０の軸線方向における突当部３２から掛止部３１０までの距離が、前記軸線方向における筒状部５０の前記他方の端面から受面５１０ａまでの距離よりも僅かに長くなっている。
【００４８】
本実施形態に係る着脱工具１の構成は以上の通りである。続いて、本実施形態に係る着脱工具１を用いたＬＥＤバルブ４のスペーサ５の設置方法（以下、スペーサ５の設置方法と称する）について説明する。
【００４９】
フォグランプ６にスペーサ５を装着するにあたり、スペーサ５を着脱部３に装着する。
【００５０】
本実施形態では、図７に示すように、抜差部３０を筒状部５０に挿し込み、さらに、突当部３２を筒状部５０の前記他方の開口端に当接させた後、図８及び図９にしめすように、着脱工具１を抜差部３０の軸線方向を中心とする周方向で回転させて第一の掛止部３１１と第二の掛止部３１２をそれぞれ別々の受面５１０ａに対応する位置に配置する。これにより、第一の掛止部３１１と第二の掛止部３１２とを別々の受面５１０ａに掛止する。
【００５１】
これに伴い、前記挿通方向における抜差部３０に対するスペーサ５の相対移動が突当部３２により規制され、前記引抜方向における抜差部３０に対するスペーサ５の相対移動が第一の掛止部３１１及び第二の掛止部３１２により規制される。すなわち、スペーサ５が抜差部３０に対して抜け止めされた状態で着脱部３に装着される。
【００５２】
続いて、スペーサ５をフォグランプ６の設置箇所、すなわち、取付台部６００にあてがい（図１０参照）、この状態のまま留め具６１をロック状態に切り替えて、該留め具６１でスペーサ５を取付台部６００に固定する。
【００５３】
そして、着脱工具１を回して第一の掛止部３１１と第二の掛止部３１２とを受面５１０ａに対応する位置からガイド溝内に移動させ、スペーサ５（第一の被掛止部５１０、及び第二の被掛止部５１０）に対する第一の掛止部３１１、第二の掛止部３１２の掛止を解除した状態に切り替えた後、抜差部３０を筒状部５０内から引き抜く。
【００５４】
これにより、図１１に示すように、スペーサ５を介してＬＥＤバルブ４をフォグランプ６に取り付けることができる状態となる。
【００５５】
フォグランプ６からスペーサ５を取り外す場合は、留め具６１で取付台部６００に固定されているスペーサ５の筒状部５０に抜差部３０を挿し込んだ後、着脱工具１を回転させて第一の掛止部３１１と第二の掛止部３１２をそれぞれ別々の受面５１０ａに対応する位置に配置する。これにより、第一の掛止部３１１と第二の掛止部３１２とを別々の受面５１０ａに掛止する。
【００５６】
そして、この状態のまま留め具６１をロック解除状態に切り替え、着脱工具１を引くと、該着脱工具１とともにスペーサ５が設置個所から回収される。
【００５７】
以上のように、本実施形態に係る着脱工具１、及びスペーサ５の設置方法によれば、スペーサ５に挿通する抜差部３０が持ち手部２から前方に延出しているため、抜差部３０をスペーサ５に挿通し、さらに、抜止構造３１によって抜差部３０に対するスペーサ５の抜け止めを行うと、スペーサ５が作業者の手から離れた位置で保持される。従って、設置箇所の周囲のスペースが狭くても、スペーサ５を該設置箇所に簡単に近付けて配置することができる。
【００５８】
従って、フォグランプ６へのスペーサ５の付け外し作業を簡単に行うことができる、という優れた効果を奏し得る。また、Ｈ３型のＬＥＤバルブ４をフォグランプに取り付ける場合は、設置箇所の周囲が狭くなる傾向にあるため、スペーサ５の付け外し作業を簡単にできる効果が顕著に高まる。
【００５９】
また、着脱部３が抜差部３０の基端側でスペーサ５に対して前記挿込方向で突き当たる突当部３２を有するため、スペーサ５をフォグランプ６の設置箇所に押し付ける際に、突当部３２がスペーサ５に突き当る。すなわち、突当部３２でスペーサ５をフォグランプ６の設置箇所に向けて押すことができるため、スペーサ５を設置箇所に対して位置決めした状態を維持し易くなる。
【００６０】
さらに、突当部３２をスペーサ５に突き当てた状態においては、掛止部３１０（第一の掛止部３１１、及び第二の掛止部３１２）を、前記引抜方向で前記スペーサ５の抜止構造３１（受面５１０ａ）に係合（掛止）することができるため、前記挿通方向における抜差部３０に対するスペーサ５の相対移動が突当部３２により規制され、前記引抜方向における抜差部３０に対するスペーサ５の相対移動が第一の掛止部３１１及び第二の掛止部３１２により規制される。
【００６１】
このように、抜差部３０と該抜差部３０が挿通されているスペーサ５との前記挿込方向及び前記引抜方向での相対移動を規制することにより、抜差部３０に対するスペーサ５の装着位置を固定することができる。従って、スペーサ５をフォグランプ６の設置箇所に設置し易くなる。
【００６２】
また、突当部３２から掛止部３１０までの距離が筒状部５０の前記他方の端面から受面５１０ａまでの距離よりも僅かに長くなっているため、筒状部５０を抜差部３０に挿し込むだけで、抜差部３０と筒状部５０との間に僅かな隙間ができるため、着脱工具１をスペーサ５に対して簡単に回転させることができる状態、すなわち、抜止構造３１によって抜差部３０に対するスペーサ５の抜け止めを簡単に行うことができ、また、前記抜差方向での抜差部３０とスペーサ５との相対移動も規制できる。
【００６３】
なお、本発明に係る着脱工具及びスペーサの設置方法は、上記実施形態に限定されるものではなく、本発明の要旨を逸脱しない範囲内において種々の変更を加え得ることは勿論である。
【００６４】
上記実施形態では、照明装置６の一例として、自動車に搭載されているフォグランプ６を挙げたが、照明装置６は、例えば、自動車に搭載されているフォグランプ６とは別の照明装置（テールランプや、ヘッドランプ等）であってもよいし、自動車に搭載されるものでなくてもよい。なお、自動車とは、例えば、自動四輪車や、自動二輪車等のことである。
【００６５】
上記実施形態において特に言及しなかったが、着脱工具１は、スペーサ５と一組にしてＬＥＤバルブの取り付けキットを構成してもよいし、スペーサ５とＬＥＤバルブ４とを一組にしてＬＥＤバルブの交換キットを構成してもよい。
【００６６】
上記実施形態において、抜止構造３１は、スペーサ５に対する掛止によって抜差部３０に対してスペーサ５を抜け止めするように構成されていたが、この構成に限定されない。例えば、抜止構造３１は、スペーサ５に対する圧接により抜差部３０に対してスペーサ５を抜け止めするように構成されていてもよい。この場合、第一の掛止部３１１、第二の掛止部３１２を出退可能としたうえで、この第一の掛止部３１１と第二の掛止部３１２とを筒状部５０の内面に圧接させてもよいし、第一の掛止部３１１、第二の掛止部３１２に替えて、外形が筒状部５０の内径よりも僅かに大きい弾性部材で抜差部３０を構成することにより、この抜差部３０の外面を筒状部５０の内面に圧接させてもよい。このように、本実施形態における係合とは、圧接や掛止等のことである。
【００６７】
上記実施形態において、第一の掛止部３１１、及び第二の掛止部３１２は、抜差部３０の先端部側から外方に向かって延出していたが、この構成に限定されない。例えば、第一の掛止部３１１、及び第二の掛止部３１２は、抜差部３０から出退するように構成し、抜差部３０を筒状部５０に挿し込みきった後に、第一の掛止部３１１、及び第二の掛止部３１２をそれぞれ進出させて第一の被係合部５１０、第二の掛止部３１２に係合（掛止）するようにしてもよい。
【００６８】
上記実施形態において、抜止構造３１は、２つの掛止部３１０を有していたが、この構成に限定されない。例えば、抜止構造３１は、１つの掛止部３１０を有していてもよいし、３つ以上の掛止部３１０を有していてもよい。
【００６９】
上記実施形態において、第一の掛止部３１１の長さと第二の掛止部３１２の長さは、それぞれ異なるものであったが、例えば、第一の掛止部３１１の長さと第二の掛止部３１２の長さを同一又は略同一の長さとしてもよい。
【符号の説明】
【００７０】
１…着脱工具、２…持ち手部、３…着脱部、４…バルブ、５…スペーサ、６…フォグランプ、３０…抜差部、３１…抜止構造、３２…突当部、４０…灯体部、４１…放熱部、５０…筒状部、５１…被抜止部、５２…延出部、６０…リフレクター、６１…留め具、３１０…掛止部、３１１…第一の掛止部、３１２…第二の掛止部、５００…ガイド溝、５１０…被係合部、５１０ａ…受面、５１０ｂ…突出部、５２０…回止凹部、６００…取付台部、６００ａ…貫通孔、Ｓ…固定構造
【図１】
2019155483.tif 000003
【図２】
2019155483.tif 000004
【図３】
2019155483.tif 000005
【図４】
2019155483.tif 000006
【図５】
2019155483.tif 000007
【図６】
2019155483.tif 000008
【図７】
2019155483.tif 000009
【図８】
2019155483.tif 000010
【図９】
2019155483.tif 000011
【図１０】
2019155483.tif 000012
【図１１】
2019155483.tif 000013
【図１２】
2019155483.tif 000014
【図１３】
2019155483.tif 000015